(57)【要約】【課題】コンクリートの鞘管内部への侵入を確実に防止でき、目地の形成やゴミの発生をなくすことができる施工性の良いブーツパッキンを提供する。【解決手段】布基礎に貫通状態で埋設する鞘管２の端部に取付けられるゴム製のブーツパッキン１であって、鞘管２の端部に外嵌着される短筒部１ａと、短筒部１ａの一端側の開口を閉塞する円板部１ｂとからなり、円板部１ｂに切断用溝部１ｃを同心円状に形成して、切断用溝部１ｃより内側を切取り可能な円形蓋部１ｄ、切断用溝部１ｃより外側をドーナツ板状のパッキン部１ｅとした構成のブーツパッキン１とする。円形蓋部１ｄを切取らない状態でコンクリートを打設することで、鞘管内部へのコンクリートの侵入を確実に防止できる。【選択図】  図３
2004232418.tif 000002
【特許請求の範囲】
【請求項１】
布基礎に貫通状態で埋設する鞘管の端部に取付けられるゴム製のブーツパッキンであって、上記鞘管の端部に外嵌着される短筒部と、この短筒部の一端側の開口を閉塞する円板部とからなり、この円板部に切断用溝部が同心円状に形成されて、切断用溝部より内側が切取り可能な円形蓋部、切断用溝部より外側がドーナツ板状のパッキン部とされていることを特徴とするブーツパッキン。
【請求項２】
切断用溝部がＶ字形の断面を有し、その底部の肉厚が０．１〜０．４ｍｍとされていることを特徴とする請求項１に記載のブーツパッキン。
【請求項３】
切断用溝部より外側のパッキン部の肉厚が、内側の切取り可能な円形蓋部の肉厚より薄くなっていることを特徴とする請求項１に記載のブーツパッキン。
【請求項４】
切断用溝部より外側のパッキン部の肉厚が、切断用溝部に近づくほど薄くなっていることを特徴とする請求項１に記載のブーツパッキン。
【請求項５】
切取り可能な円形蓋部に取手が形成されていることを特徴とする請求項１に記載のブーツパッキン。
【請求項６】
短筒部の内側に、鞘管の端部に内嵌着される内筒部が形成されていることを特徴とする請求項１に記載のブーツパッキン。
【発明の詳細な説明】
【０００１】
【発明の属する技術分野】
本発明は、家屋の布基礎に埋設する鞘管に取付けられるブーツパッキンに関する。
【０００２】
【従来の技術】
従来、家屋の基礎工事を行う場合には、布基礎形成用の型枠の内側に紙製のボイド管を設置してコンクリートを打設し、コンクリートが硬化した後、ボイド管を破って布基礎から取り出すことにより、排水管を通すための貫通孔を布基礎に形成していた。
【０００３】
けれども、上記の工事では、取り出したボイド管がゴミになり、しかも、布基礎の貫通孔に排水管を通して配管するときには、排水管と貫通孔との隙間をうめる目地を形成しなければならないという面倒さがあった。
【０００４】
これに対処するため、図１１に示すような環状パッキン１０１を使用し、図１２に示すように該環状パッキン１０１を両端に取付けた合成樹脂製の鞘管１０２を布基礎形成用の型枠１０３，１０３の内側に設置してコンクリート１０４を打設する工法が、一部の建設業者によって実施されているようである。
【０００５】
この工法を採用すると、図１３に示すように鞘管１０２と環状パッキン１０１を布基礎のコンクリート１０４に埋め込んだまま、鞘管１０２に排水管１０５を通して配管できるため、従来のボイド管のようにゴミが発生することがなく、しかも環状パッキン１０１の内周縁が排水管１０５に弾接して排水管１０５と鞘管１０１との間に隙間を生ずることがないため、目地の形成も不要になるといった利点がある。
【０００６】
【発明が解決しようとする課題】
しかしながら、上記の環状パッキン１０１を使用すると、図１２に示すように打設した未硬化のコンクリート１０４が環状パッキン１０１，１０１と型枠１０３，１０３との隙間から鞘管１０２の内部に入って硬化することがあるため、鞘管内部の硬化したコンクリート１０４ａを除去することが必要になり、環状パッキン１０１を傷付けないようにコンクリート１０４ａを除去する作業が極めて面倒という問題があった。
【０００７】
本発明は上記の問題に対処すべくなされたもので、その目的とするところは、上記の環状パッキンの長所を保持したまま、鞘管内部へのコンクリートの侵入を確実に防止できるブーツパッキンを提供することにある。
【０００８】
【課題を解決するための手段】
上記目的を達成するため、本発明に係るブーツパッキンは、布基礎に貫通状態で埋設する鞘管の端部に取付けられるゴム製のブーツパッキンであって、該鞘管の端部に外嵌着される短筒部と、この短筒部の一端側の開口を閉塞する円板部とからなり、この円板部に切断用溝部が同心円状に形成されて、切断用溝部より内側が切取り可能な円形蓋部、切断用溝部より外側がドーナツ板状のパッキン部とされていることを特徴とするものである。
【０００９】
斯かるブーツパッキンは、その短筒部を鞘管の端部に外嵌着することによって取付けられる。このようにブーツパッキンが取付けられた鞘管を布基礎形成用の型枠の内側に設置し、コンクリートを打設して布基礎を形成すると、ブーツパッキンの円形板によって鞘管の端部が閉塞されているため、未硬化のコンクリートが鞘管内部に侵入するのを確実に防止することができる。そして、鞘管の内部に排水管を通して配管するときは、ブーツパッキンの円板部の切断用溝部に沿って円形蓋部を切取ることにより円形開口を形成し、この円形開口に排水管を挿通すればよく、このようにすると、ブーツパッキンの切断用溝部より外側のドーナツ板状のパッキン部が排水管の外周面に水密的に弾接するため、排水管と鞘管との隙間を生める目地の形成も不要となる。
【００１０】
本発明のブーツパッキンにおいては、切断用溝部がＶ字形の断面を有し、その底部の肉厚が０．１〜０．４ｍｍとされていることが望ましく、このような構成にすると、指先で切断用溝部を切断しながら円形蓋部を簡単に切取ることが可能となる。
【００１１】
また、本発明のブーツパッキンにおいては、切断用溝部より外側のパッキン部の肉厚を、内側の切取り可能な円形蓋部の肉厚より薄くすることが望ましく、このようにすると、肉薄のパッキン部が弾力的に容易に曲げ変形して排水管の外周面に密着するため、排水管と鞘管との水密性を向上させることができる。
【００１２】
また、本発明のブーツパッキンにおいては、切断用溝部より外側のパッキン部の肉厚を、切断用溝部に近づくほど薄くすることが望ましく、このようにすると、パッキン部の肉薄の内周縁が弾力的に容易に曲げ変形して排水管の外周面に密着するため、やはり排水管と鞘管との水密性を向上させることができる。
【００１３】
また、本発明のブーツパッキンにおいては、切取り可能な円形蓋部に取手を形成することが望ましく、このようにすると、取手を持って簡単に円形蓋部を切取ることが可能となる。
【００１４】
また、本発明のブーツパッキンにおいては、短筒部の内側に、鞘管の端部に内嵌着される内筒部を形成することが望ましく、このようにすると、短筒部と内筒部によって外側と内側から鞘管の端部を挟んだ状態でブーツパッキンを取付けることができるので取付け強度が向上し、ブーツパッキンと鞘管端部の水密性も一層向上することになる。
【００１５】
【発明の実施の形態】
以下、図面を参照して本発明の具体的な実施形態を詳述する。
【００１６】
図１は本発明の一実施形態に係るブーツパッキンの斜視図、図２は円形蓋部を切離した状態の同ブーツパッキンの斜視図、図３は同ブーツパッキンの断面図、図４は図３の円で囲んだ部分の拡大図、図５〜図７は同ブーツパッキンを用いた布基礎の施工方法を順次説明する断面図である。
【００１７】
このブーツパッキン１は、ＥＰＤＭ、ＳＢＲ、ＣＲ等の合成ゴムで一体成形されたものであって、鞘管２の端部に外嵌着される短筒部１ａと、この短筒部１ａの一端側（前端側）の開口を閉塞する円板部１ｂとから成る。
【００１８】
この円板部１ｂには、Ｖ字形の断面を有する切断用溝部１ｃが同心円状に形成され、この切断用溝部１ｃより内側が切取り可能な円形蓋部１ｄ、外側がドーナツ板状のパッキン部１ｅとなっている。
【００１９】
この切断用溝部１ｃは、鞘管２に挿通される排水管６の外径より少し小さい直径を有する同心円状に形成されており、後述するように円形蓋部１ｄを切取って排水管６を挿入すると、ドーナツ板状のパッキン１ｅが排水管６によって押し広げられた状態で弾接するようになっている。
【００２０】
切断用溝部１ｃの底部の肉厚ｔ（図４を参照）は０．１〜０．４ｍｍに設定されており、そのため指先で切断用溝部１ｃを切断しながら円形蓋部１ｄを簡単に切取ることができるようになっている。底部の肉厚ｔが０．１ｍｍより薄くなると、後述するように布基礎形成用の型枠４によって円形蓋部１ｄが押し込まれたときに切断用溝部１ｃが切断する心配があり、逆に０．４ｍｍより厚くなると、指先で切断用溝部１ｃを切断して円形蓋部１ｄを切取る作業がし辛くなるので、いずれの場合も好ましくない。
【００２１】
この実施形態のブーツパッキン１では、切断用溝部１ｃを円板部１ｂの表面に形成しているが、円板部１ｂの裏面に切断用溝部を形成してもよい。
上記の切取り可能な円形蓋部１ｄの中央には、取手１ｆが突設されており、この取手１ｆをつまんで簡単に円形蓋部１ｄを切取ることができるようになっている。
【００２２】
図３に示すように、切断用溝部１ｃより外側のドーナツ板状のパッキン部１ｅの肉厚は、内側の切取り可能な円形蓋部１ｄの肉厚よりも薄くなっており、そのため、後述するように円形蓋部１ｄａを切取って排水管６を挿入すると、薄肉のパッキン部１ｅが弾力的に容易に曲げ変形して排水管６の外周面に密着し、水密性を確保できるようになっている。
【００２３】
なお、パッキン部１ｅの肉厚は、図９に示すように、短筒部１ａから切断用溝部１ｃに近づくほど薄くなるようにしてもよく、その場合も、パッキン部１ｅの肉薄になった内周縁が弾力的に容易に曲げ変形して排水管６の外周面に密接するため、上記と同様に水密性を確保することが可能となる。
【００２４】
また、このブーツパッキン１の短筒部１ａの一端（前端）１ｇは、円板部１ｂのドーナツ板状のパッキン部１ｅから少し突出し、その内周面が先広がり状のテーパー面とされている。そのため、後述するように布基礎形成用の型枠４を立設すると、短筒部の一端１ｇが吸盤のごとく外側に拡張した状態で型枠４に密着するため、打設したコンクリート５が型枠４とブーツパッキン１の円板部１ｂとの隙間に侵入することもなくなる。
【００２５】
更に、この短筒部１ａの他端部（後端部）の外周面にはフランジ部１ｈが形成されており、後述するようにブーツパッキン１が鞘管と共に布基礎のコンクリート５に埋設されると、フランジ部１ｂがコンクリート５に食い込んでブーツパッキン１の抜出しを確実に防止できるようになっている。
【００２６】
次に、このブーツパッキン１を用いた布基礎の施工法の一例を説明する。
【００２７】
まず、図５に示すように、ブーツパッキン１の短筒部１ａを合成樹脂製の鞘管２の両端に外嵌着して、この鞘管２を布基礎用の鉄筋３の隙間に載置固定する。そして、図６に示すように、両側に布基礎形成用の型枠４，４を立設してコンクリート５を型枠４，４内に打設する。このとき、ブーツパッキン１の円板部１ｂは、型枠４により取手１ｆを介して内側に押し込まれるが、既述したように切断用溝部１ｃの底部の肉厚ｔが０．１〜０．４ｍｍであるため、切断用溝部１ｃが切断されることはなく、ブーツパッキン１によって鞘管２の両端を確実に閉塞することができる。そのため、打設された未硬化のコンクリート５が鞘管２の内部に侵入するのを確実に防止することができる。また、既述したようにブーツパッキン１の短筒部１ａの突出した前端１ｇが吸盤のごとく拡張して型枠４に密着するため、コンクリート５が型枠４とブーツパッキン１の円板部１ｂとの隙間７に侵入することもない。
【００２８】
コンクリート５が硬化すると、図７に示すように型枠を除去し、ブーツパッキン１の円形蓋部１ｄを切断用溝部１ｃに沿って指先で切取ることにより円形開口を形成する。そして、図８に示すように、排水管６を上記の円形開口から鞘管２内に挿通して配管を行う。このように排水管６を挿通すると、ブーツパッキン１のパッキン部１ｅが押し広げられ、既述したようにパッキン部１ｅが弾力的に容易に曲げ変形して排水管６の外周面に密着するため、排水管６と鞘管２との水密性が確保される。従って、目地の形成が不要となる。また、ブーツパッキン１のフランジ部１ｈがコンクリート５に食い込むため、既述したようにブーツパッキン１の抜出しを確実に防止することもできる。
【００２９】
図１０は本発明の他の実施形態に係るブーツパッキン１の断面図である。
【００３０】
このブーツパッキン１は、短筒部１ａの内側に、鞘管２の端部に内嵌着される内筒部１ｉを形成すると共に、ドーナツ板状のパッキン部１ｅの肉厚を短筒部１ａから切断用溝部１ｃに近づくにつれて薄くなるようにしている。その他の構成は、前述した図１〜図４のブーツパッキン１と同様であるので、図１０において同一部材に同一符号を付し、説明を省略する。
【００３１】
このようなブーツパッキン１は、前述した作用効果に加えて、短筒部１ａと内筒部１ｉにより外側と内側から鞘管２の端部を挟んだ状態で取付けることができるため取付け強度が向上し、ブーツパッキン１と鞘管２の端部の水密性も一層向上する利点がある。
【００３２】
【発明の効果】
以上の説明から明らかなように、本発明のブーツパッキンは、コンクリートが鞘管の内部に侵入するのを確実に防止できるため、従来の環状パッキンのように鞘管内部に侵入して硬化したコンクリートを除去する面倒な作業が不要になって施工性が大幅に向上し、また、従来のボイド管のようにゴミが発生することがなく目地の形成も不要になる等、優れた効果を奏する。
【図面の簡単な説明】
【図１】本発明の一実施形態に係るブーツパッキンの斜視図である。
【図２】円形蓋部を切離した状態の同ブーツパッキンの斜視図である。
【図３】同ブーツパッキンの断面図である。
【図４】図３の円で囲んだ部分の拡大図である。
【図５】同ブーツパッキンが両端に取付けられた鞘管を布基礎用の鉄筋の間に設置したところを示す断面図である。
【図６】同ブーツパッキンが両端に取付けられた鞘管を設置した布基礎用鉄筋の両側に布基礎形成用の型枠を立設し、型枠の内側にコンクリートを打設したところを示す断面図である。
【図７】布基礎形成用の型枠を除去して、布基礎に埋設された鞘管の両端のブーツパッキンから円形蓋部を切取ったところを示す断面図である。
【図８】ブーツキャップから円形蓋部を切取って形成した円形開口を通じて排水管を鞘管に挿通しているところを示す断面図である。
【図９】本発明の他の実施形態に係るブーツパッキンの部分断面図である。
【図１０】本発明の更に他の実施形態に係るブーツパッキンの断面図である。
【図１１】鞘管の端部に取付けられる従来の環状パッキンの斜視図である。
【図１２】従来の環状パッキンが両端に取付けられた鞘管を布基礎形成用の型枠の内側に設置してコンクリートを打設したところを示す断面図である。
【図１３】布基礎形成用の型枠を除去して、布基礎に埋設された鞘管に排水管を挿通したところを示す断面図である。
【符号の説明】
１  ブーツパッキン
１ａ  短筒部
１ｂ  円板部
１ｃ  切断用溝部
１ｄ  切取り可能な円形蓋部
１ｅ  ドーナツ板状のパッキン部
１ｆ  取手
１ｈ  フランジ部
１ｉ  内筒部
２  鞘管
３  鉄筋
４  型枠
５  コンクリート
６  排水管
【図１】
2004232418.tif 000003
【図２】
2004232418.tif 000004
【図３】
2004232418.tif 000005
【図４】
2004232418.tif 000006
【図５】
2004232418.tif 000007
【図６】
2004232418.tif 000008
【図７】
2004232418.tif 000009
【図８】
2004232418.tif 000010
【図９】
2004232418.tif 000011
【図１０】
2004232418.tif 000012
【図１１】
2004232418.tif 000013
【図１２】
2004232418.tif 000014
【図１３】
2004232418.tif 000015